(57)【要約】【課題】モップ等に付着した塵埃の除去に特化した電気掃除機用吸込具を提供する。【解決手段】電気掃除機（図示せず）のホース（図示せず）等に接続するための筒状の接続部１と、空気流路を兼ねると共に略箱型の吸込具筐体２とを備え、前記吸込具筐体２の前記接続部１の軸方向と略直交する面７に塵埃を吸い込むための吸気口３を設け、前記吸気口３を複数の開口部３ａで構成したもので、吸気口３を設けた面７にモップ本体４を押し当て往復させるだけで、モップ本体４の繊維に付着した塵埃を効率的に除去することができる。【選択図】図３
2014064738.tif 000002
【特許請求の範囲】
【請求項１】
電気掃除機のホース等に接続するための筒状の接続部と、空気流路を兼ねると共に略箱型の吸込具筐体とを備え、前記吸込具筐体の前記接続部の軸方向と略直交する面に塵埃を吸い込むための吸気口を設け、前記吸気口を複数の開口部で構成した電気掃除機用吸込具。
【請求項２】
開口部の形状をスリット状とした請求項１に記載の電気掃除機用吸込具。
【請求項３】
吸気口を設けた面の一側を突出させて前記面の断面形状を略Ｌ字状として、前記略Ｌ字状の隣り合う２面に、前記吸気口を設けた請求項１又は２に記載の電気掃除機用吸込具。
【請求項４】
吸込具筐体の吸気口を設けた面を接続部の軸方向に対して垂直ではなく傾斜を設けた請求項１〜３のいずれか１項に記載の電気掃除機用吸込具。
【請求項５】
吸気口を設けた面を円弧状に形成した請求項１〜４のいずれか１項に記載の電気掃除機用吸込具。
【請求項６】
開口部の形状を円形又は多角形状とした請求項１、３〜５のいずれか１項に記載の電気掃除機用吸込具。
【請求項７】
吸気口を、繊維を編んで形成したメッシュで覆った請求項１〜６のいずれか１項に記載の電気掃除機用吸込具。
【請求項８】
吸気口及び開口部のうちの少なくとも一方の周辺にブラシなどからなる除塵手段を設けた請求項１〜７のいずれか１項に記載の電気掃除機用吸込具。
【請求項９】
接続部は、掃除機本体の吸気口に接続可能な形状とした請求項１〜８のいずれか１項に記載の電気掃除機用吸込具。
【請求項１０】
掃除機本体の運転を操作するためのスイッチを設けた請求項９に記載の電気掃除機用吸込具。
【発明の詳細な説明】
【技術分野】
【０００１】
本発明は、電気掃除機の延長管などに接続される電気掃除機用吸込具で、特に、モップ等に付着した塵埃の除去に特化した電気掃除機用吸込具に関するものである。
【背景技術】
【０００２】
近年、繰り返し利用可能なマイクロファイバーなどの繊維製の乾式モップが開発され、手軽であることやエコの観点により普及している。これを背景に、モップクリーニング専用の電気掃除機が考案されている（例えば、特許文献１参照）。
【０００３】
図１８は、上記特許文献１に記載された従来のモップクリーニング専用の電気掃除機を示すもので、図１８に示すように、本体真空掃除機部と独立して移動可能なモップ様の集塵部１０１と、集塵部１０１に付着した塵埃を吸引する吸引口１０４と、フィルター１０５と、真空ファン１０６と、真空ファン１０６を回転駆動するモーター１０７と、モーター１０７の排気風を排出する排気口１０８などで構成されている。
【先行技術文献】
【特許文献】
【０００４】
【特許文献１】特開２０００−３１２６６１号公報
【発明の概要】
【発明が解決しようとする課題】
【０００５】
しかしながら、上記特許文献１に記載されたようなモップクリーニング専用の電気掃除機は単機能であり一般的な床移動型の電気掃除機と比較すると殆ど普及していない。そのためモップに付着した埃などの除塵は、モップ使用後に叩いて除塵、または水洗いなどの方法がとられており、時間と労力が必要であった。また、衛生面においても、叩いて除塵の場合は、ホコリの舞い上がり、水洗いの場合は排水口の詰まりなどを引き起こすなどの問題があった。また、家庭用の電気掃除機で吸引する場合は、吸引口が大きすぎて繊維が吸い込まれたり、吸引口が滑らかな面ではないため引っ掛かったりと安定的して操作することが困難であった。
【０００６】
本発明は、前記従来の課題を解決するもので、モップ専用の電気掃除機を設置せずに、一般家庭用の電気掃除機を利用し乾式モップの塵埃除去を簡便かつ衛生的に行うことができる電気掃除機用吸込具を提供することを目的とする。
【課題を解決するための手段】
【０００７】
前記従来の課題を解決するために、本発明の電気掃除機用吸込具は、電気掃除機のホース等に接続するための筒状の接続部と、空気流路を兼ねると共に略箱型の吸込具筐体とを備え、前記吸込具筐体の前記接続部の軸方向と略直交する面に塵埃を吸い込むための吸気口を設け、前記吸気口を複数の開口部で構成したもので、吸気口を設けた面にモップを押し当て往復させるだけで、モップの繊維に付着した塵埃を効率的に除去することができる。
【発明の効果】
【０００８】
本発明の電気掃除機用吸込具は、一般的に普及している家庭用の電気掃除機のホースなどに装着可能な形状なので、簡便かつ清潔で安価なモップ除塵手段となるものである。
【図面の簡単な説明】
【０００９】
【図１】本発明の実施の形態１における電気掃除機用吸込具の斜視図
【図２】同電気掃除機用吸込具の断面図
【図３】同電気掃除機用吸込具でのモップ本体の除塵の様子を示す概略図
【図４】同モップ本体の除塵の際の概略断面図
【図５】本発明の実施の形態２における電気掃除機用吸込具の斜視図
【図６】同電気掃除機用吸込具の断面図
【図７】本発明の実施の形態３における電気掃除機用吸込具の斜視図
【図８】同電気掃除機用吸込具の断面図
【図９】本発明の実施の形態４における電気掃除機用吸込具の斜視図
【図１０】同電気掃除機用吸込具の断面図
【図１１】本発明の実施の形態５における電気掃除機用吸込具の斜視図
【図１２】同電気掃除機用吸込具の断面図
【図１３】本発明の実施の形態６における電気掃除機用吸込具の斜視図
【図１４】本発明の実施の形態７における電気掃除機用吸込具の斜視図
【図１５】本発明の実施の形態８における電気掃除機用吸込具の斜視図
【図１６】本発明の実施の形態９における電気掃除機用吸込具を電気掃除機の掃除機本体に接続した状態を示す斜視図
【図１７】本発明の実施の形態１０における電気掃除機用吸込具の斜視図
【図１８】従来のモップクリーニング専用掃除機の概略図
【発明を実施するための形態】
【００１０】
第１の発明は、電気掃除機のホース等に接続するための筒状の接続部と、空気流路を兼ねると共に略箱型の吸込具筐体とを備え、前記吸込具筐体の前記接続部の軸方向と略直交する面に塵埃を吸い込むための吸気口を設け、前記吸気口を複数の開口部で構成したもので、吸気口を設けた面にモップを押し当て往復させるだけで、モップの繊維に付着した塵埃を効率的に除去することができる。
【００１１】
第２の発明は、特に、第１の発明の開口部の形状をスリット状としたもので、吸気口を設けた面にモップを押し当て往復させたとき、繊維が吸気口に吸込まれ難いため、モップの繊維に付着した塵埃を効率的に除去することができる。
【００１２】
第３の発明は、特に、第１又は第２の発明の吸気口を設けた面の一側を突出させて前記面の断面形状を略Ｌ字状として、前記略Ｌ字状の隣り合う２面に、前記吸気口を設けたもので、モップの側面まで吸引可能となり、さらに効率的に除塵を行うことができる。
【００１３】
第４の発明は、特に、第１〜３のいずれかひとつの発明の吸込具筐体の吸気口を設けた面を接続部の軸方向に対して垂直ではなく傾斜を設けたもので、設置の状態によれば吸気口面が見やすく力の入れやすい方向となり、除塵作業を容易に行うことができる。
【００１４】
第５の発明は、特に、第１〜４のいずれかひとつの発明の吸気口を設けた面を円弧状に形成したもので、全周に繊維があるモップなどの場合にはモップが沿い易く、効率的に除塵を行うことができる。
【００１５】
第６の発明は、特に、第１、３〜５のいずれかひとつの発明の開口部の形状を円形又は多角形状としたもので、繊維が吸気口に吸込まれ難いため、除塵作業を容易に行うことができる。
【００１６】
第７の発明は、特に、第１〜６のいずれかひとつの発明の吸気口を、繊維を編んで形成したメッシュで覆ったもので、繊維が吸気口に吸込まれ難いため、除塵作業を容易に行うことができる。
【００１７】
第８の発明は、特に、第１〜７のいずれかひとつの発明の吸気口及び開口部のうちの少なくとも一方の周辺にブラシなどからなる除塵手段を設けたもので、塵埃の掻き落し効果が向上し効率的に除塵を行うことができる。
【００１８】
第９の発明は、特に、第１〜８のいずれかひとつの発明の接続部は、掃除機本体の吸気口に接続可能な形状としたもので、電気掃除機の掃除機本体を収納状態の体勢（スタンド収納状態）にて安定した状態で除塵を行うことが出来る。
【００１９】
第１０の発明は、特に、第９の発明の掃除機本体の運転を操作するためのスイッチを設けたもので、使用する電気掃除機の掃除機本体に運転スイッチがなく手元ハンドルのスイッチ等で操作を行う場合、電気掃除機用吸込具にスイッチを設けることで掃除機本体に設置・運転出来るため安定した状態で除塵を行うことが出来る。
【００２０】
以下、本発明の実施の形態について、図面を参照しながら説明する。なお、この実施の形態によって本発明が限定されるものではない。
【００２１】
（実施の形態１）
図１は、本発明の実施の形態１における電気掃除機用吸込具の斜視図、図２は、同電気掃除機用吸込具の断面図、図３は、同電気掃除機用吸込具でのモップ本体の除塵の様子を示す概略図、図４は、同モップ本体の除塵の際の概略断面図である。
【００２２】
図１〜４において、本実施の形態における電気掃除機用吸込具は、電気掃除機のホース（図示せず）又は掃除機本体（図示せず）に接続するための筒型形状の接続部１と、吸込具筐体２と、モップ本体４に付着した塵埃を吸引するための吸気口３から構成されている。吸気口３は、複数のスリット状の開口部３ａからなると共に、吸込具筐体２の接続部１の軸方向と略直交する面７に配されている。
【００２３】
以上のように構成された本実施の形態における電気掃除機用吸込具について、以下その動作、作用を説明する。
【００２４】
まず、本実施の形態における電気掃除機用吸込具の接続部１を電気掃除機の掃除機本体又は、掃除機本体に接続されたホースの端部に接続する。
【００２５】
電気掃除機の運転が行われ吸引がかかっている状態において、塵埃が付着したモップ本体４を吸気口３を設けた面７に押し当てて矢印方向に往復させることによりモップ本体４に付着している塵埃１９が除去される。
【００２６】
以上のように、本実施の形態のような家庭用電気掃除機に接続可能な電気掃除機用吸込具を提供することにより、ホコリなどを舞い上げることなく効率的かつ衛生的に除塵することができる。
【００２７】
（実施の形態２）
図５は、本発明の実施の形態２における電気掃除機用吸込具の斜視図、図６は、同電気掃除機用吸込具の断面図である。なお、上記実施の形態１における電気掃除機用吸込具と同一部分には同一符号を付してその説明を省略する。
【００２８】
本実施の形態における電気掃除機用吸込具は、図５、６に示すようにモップ本体４に付着した塵埃を吸引するための吸気口３を設けた面７の一側を突出させて凸形状部５とし、その凸形状部５の側面にも吸気口３を延設したもので、略Ｌ字状の隣り合う２面に吸気口
３があるので、これによりモップ本体４の側面に相当する位置にも吸引がかかるためモップ本体４の側面に付着した塵埃を除去し易くなる。
【００２９】
（実施の形態３）
図７は、本発明の第３の実施の形態における電気掃除機用吸込具の斜視図、図８は同電気掃除機用吸込具の断面図である。なお、上記実施の形態における電気掃除機用吸込具と同一部分には同一符号を付してその説明を省略する。
【００３０】
上記実施の形態１における電気掃除機用吸込具では、接続部１の軸方向に対し吸気口３を設けた面７が垂直であったが、本実施の形態における電気掃除機用吸込具は、図７、８に示すように、接続部１の軸方向に対し吸気口３を設けた面７を傾斜させたもので、設置の状態によれば面７が見やすく力の入れやすい方向となり、除塵作業を容易に行うことができる。
【００３１】
（実施の形態４）
図９は、本発明の実施の形態４における電気掃除機用吸込具の斜視図、図１０は、同電気掃除機用吸込具の断面図である。なお、上記実施の形態における電気掃除機用吸込具と同一部分には同一符号を付してその説明を省略する。
【００３２】
本実施の形態における電気掃除機用吸込具は、上記実施の形態２と実施の形態３を合体させたもので、具体的には、端面８をＬ字状に突出させて凸形状部５とし、Ｌ字状の隣り合う２面に吸気口３を設けると共に、接続部１の軸方向に対し面７を傾斜させたもので、モップ本体４の側面まで吸引可能となり、さらに効率的に除塵を行うことができる。
【００３３】
（実施の形態５）
図１１は、本発明の第５の実施の形態における電気掃除機用吸込具の斜視図、図１２は同電気掃除機用吸込具の断面図である。なお、上記実施の形態における電気掃除機用吸込具と同一部分には同一符号を付してその説明を省略する。
【００３４】
本実施の形態は、図１１、１２に示すように、上記実施の形態３における電気掃除機用吸込具の吸気口３を設けた面７を円弧状にしたもので、全周に繊維があるモップ本体４などの場合にはモップ本体４のモップ部分が面７の円弧形状に沿い易く、除塵作業を容易に行うことができる。
【００３５】
（実施の形態６）
図１３は、本発明の実施の形態６における電気掃除機用吸込具の斜視図である。なお、上記実施の形態における電気掃除機用吸込具と同一部分には同一符号を付してその説明を省略する。
【００３６】
上記実施の形態では、吸気口３の開口部３ａの形状をスリット状に形成したが、本実施の形態における電気掃除機用吸込具は、図１３に示すように、吸気口３を、複数の円形又は多角形の開口部３ａで構成したもので、繊維が開口部３ａに吸込まれ難いため、除塵作業を容易に行うことができる。
【００３７】
（実施の形態７）
図１４は、本発明の第７の実施の形態における電気掃除機用吸込具の斜視図である。なお、上記実施の形態における電気掃除機用吸込具と同一部分には同一符号を付してその説明を省略する。
【００３８】
本実施の形態における電気掃除機用吸込具は、吸気口３を、繊維を編んで形成したメッ
シュ１１で覆ったもので、モップ本体４の繊維が吸気口３に吸込まれ難いため、除塵作業を容易に行うことができる。
【００３９】
（実施の形態８）
図１５は、本発明の実施の形態８における電気掃除機用吸込具の斜視図である。なお、上記実施の形態における電気掃除機用吸込具と同一部分には同一符号を付してその説明を省略する。
【００４０】
本実施の形態における電気掃除機用吸込具は、吸気口３や開口部３ａの周辺に除塵手段としてのブラシ１２を設けたもので、塵埃の掻き落し効果が向上しモップ本体４の繊維に付着した除塵を効率的に行うことができる。
【００４１】
（実施の形態９）
図１６は、本発明の実施の形態９における電気掃除機用吸込具を電気掃除機の掃除機本体に接続した状態を示す斜視図である。なお、上記実施の形態における電気掃除機用吸込具と同一部分には同一符号を付してその説明を省略する。
【００４２】
本実施の形態における電気掃除機用吸込具は、図１６に示すように、接続部１の筒状形状を掃除機本体１３の前部のフロントカバー２０に設けた吸気口（図示せず）に直接接続可能な形状としたもので、電気掃除機を収納状態の体勢（スタンド収納状態）にて安定した状態で除塵を行うことが出来る。なお、掃除機本体１３は、掃除機本体１３の運転を操作する運転スイッチ１４を備えている。
【００４３】
（実施の形態１０）
図１７は、本発明の実施の形態１０における電気掃除機用吸込具の斜視図である。なお、上記実施の形態における電気掃除機用吸込具と同一部分には同一符号を付してその説明を省略する。
【００４４】
本実施の形態における電気掃除機用吸込具は、掃除機本体１３を運転するための運転開始スイッチ１５と、その運転を停止させるための運転停止スイッチ１６を備えたものである。実施の形態９のように電気掃除機用吸込具を掃除機本体１３に直接接続して使用する場合、掃除機本体１３に運転スイッチ１４があれば問題ないが、掃除機本体１３を運転するためのスイッチがホース（図示せず）の先端に配した手元ハンドル（操作部）にある場合、電気掃除機用吸込具を掃除機本体１３に直接接続すると掃除機本体の運転が出来なくなるが、本実施の形態のように、電気掃除機用吸込具に、掃除機本体１３を運転するための運転開始スイッチ１５と、その運転を停止させるための運転停止スイッチ１６を設けたことにより、安定した状態でモップ本体４の除塵を行うことが出来る。
【産業上の利用可能性】
【００４５】
以上のように本発明に係る電気掃除機用吸込具は、一般に使用されている電気掃除機を利用して乾式モップ本体の塵埃除去を簡便かつ衛生的に行うことができるもので、家庭用、店舗用、産業用の各種電気掃除機に適用可能である。
【符号の説明】
【００４６】
１  接続部
２  吸込具筐体
３  吸気口
３ａ  開口部
４  モップ本体
５  凸形状部
７  面
８  端面
１１  メッシュ
１２  ブラシ（除塵手段）
１３  掃除機本体
１４  運転スイッチ
１５  運転開始スイッチ（スイッチ）
１６  運転停止スイッチ（スイッチ）
【図１】
2014064738.tif 000003
【図２】
2014064738.tif 000004
【図３】
2014064738.tif 000005
【図４】
2014064738.tif 000006
【図５】
2014064738.tif 000007
【図６】
2014064738.tif 000008
【図７】
2014064738.tif 000009
【図８】
2014064738.tif 000010
【図９】
2014064738.tif 000011
【図１０】
2014064738.tif 000012
【図１１】
2014064738.tif 000013
【図１２】
2014064738.tif 000014
【図１３】
2014064738.tif 000015
【図１４】
2014064738.tif 000016
【図１５】
2014064738.tif 000017
【図１６】
2014064738.tif 000018
【図１７】
2014064738.tif 000019
【図１８】
2014064738.tif 000020